(57)【特許請求の範囲】
【請求項１】
外郭部材の一部に形成した離脱可能部分と、この離脱可能部分を取り囲む前記外郭部材の周囲部分とを備え、前記離脱可能部分が薄肉部分を介して前記周囲部分に結合された盗難防止装置であって、
前記離脱可能部分の外面側には、フックが配置され、また、前記離脱可能部分の内面側には、前記離脱可能部分と対向して表示板が配置され、この表示板の外周部は、前記周囲部分に接合されており、
前記フックに、前記薄肉部分の破壊応力を超える引張力が加わることにより、前記離脱可能部分が前記フックとともに前記周囲部分から離脱し、前記表示板が露出するように構成したことを特徴とする盗難防止装置。
【請求項２】
請求項１記載の盗難防止装置であって、前記離脱可能部分は、その全周の複数箇所において、前記薄肉部分を介して、前記周囲部分に結合されたことを特徴とする盗難防止装置。
【請求項３】
請求項１記載の盗難防止装置であって、前記薄肉部分の破壊応力は、前記薄肉部分の厚み、面積、設置位置および設置数を変えることにより任意に設定されることを特徴とする盗難防止装置。
【請求項４】
請求項１記載の盗難防止装置であって、前記フックは、前記離脱可能部分とは別の部品で構成されていることを特徴とする盗難防止装置。
【請求項５】
請求項４記載の盗難防止装置であって、前記フックは、前記離脱可能部分に対して移動可能に設けられていることを特徴とする盗難防止装置。
【請求項６】
請求項１記載の盗難防止装置であって、前記フックは、前記離脱可能部分と一体形成されていることを特徴とする盗難防止装置。
【請求項７】
請求項1記載の盗難防止装置であって、前記表示板は、前記離脱可能部分が離脱した後に視認される警告文または注意文を有することを特徴とする盗難防止装置。
【発明の詳細な説明】
【技術分野】
【０００１】
本発明は、電気製品の盗難防止装置に関し、特に盗難後の再販を防止することが可能な盗難防止装置に関するものである。
【背景技術】
【０００２】
従来の盗難防止装置としては、例えば特許文献１では、ワイヤ部にピエゾセンサ同軸ケーブルを用い、ワイヤ部の切断または破壊行為による圧力を大きな電圧として検知し、警報を発生することにより盗難時にブザーが鳴り続け、犯行をあきらめさせることが期待できるワイヤーロック装置が提案されている。
【０００３】
また、例えば特許文献２では、パーソナルコンピュータ等の機器の外壁にほぼ矩形のスリット（装着穴）を設け、このスリットに鍵によって作動される取付機構を取り付け、取付機構のケーブルを移動不可能な物体に取り付けるようにした盗難防止装置（ケンシントンロック型盗難防止装置）が提案されている。この特許文献２に提示されているように、ノート型パーソナルコンピュータ及び投射型プロジェクタ等の電気製品には、一般に入手が容易なケンシントンロック型盗難防止装置が装着できるように、製品に予め専用の装着穴が装備されていた。
【特許文献１】登録実用新案公報第３１００２５７号
【特許文献２】特許公報第２６５０１４７号
【発明の開示】
【発明が解決しようとする課題】
【０００４】
従来、電気製品の量販店や大型スーパーマーケット等では、万引き等の盗難に頭を痛めており、また、盗難された製品を再販されるという心配もあった。しかしながら、従来、量販店等で広く用いられているケンシントンロック型盗難防止装置は、鍵部の回転によりロックを行う回転部が鍵部の破壊のみで解除でき、破壊後には容易に取り外しができるため、盗難される危険性が高く、盗難防止効果が小さかった。さらに、ケンシントンロック型盗難防止装置を取り外した後は、通常の方法で購入された製品の外観と同じであるため、盗難品と購入品の区別がつかず、盗難品の再販が容易であった。このように、従来の盗難防止装置は、あくまで盗難防止を目的とした装置であり、盗難された製品の再販防止効果は全くなかった。
【０００５】
また、従来のパーソナルコンピュータ等の機器には、ケンシントンロック型盗難防止装置のための専用の装着穴は装備されているが、顧客は、高価なケンシントンロック型盗難防止装置を別途購入する必要があった。このため、例えば学校等でノート型パーソナルコンピュータを大量に購入した場合、経済的な負担が大きいという問題もあった。このような問題に対処するため、安価な市販の鍵を盗難防止装置として取り付けたり、安価な市販の鍵とケンシントンロック型盗難防止装置を併用したりする場合もあったが、いずれも盗難防止効果は小さく、また盗難後の再販防止に対しての効果は全くなかった。
【０００６】
本発明は、上記のような問題点を改善するためになされたもので、盗難防止効果が大きく、さらに盗難された後の再販を防止することができる安価な盗難防止装置を提供することを目的とする。
【課題を解決するための手段】
【０００７】
本発明に係わる盗難防止装置は、外郭部材の一部に形成した離脱可能部分と、この離脱可能部分を取り囲む外郭部材の周囲部分とを備え、離脱可能部分が薄肉部分を介して周囲部分に結合された盗難防止装置であって、離脱可能部分の外面側には、フックが配置され、また、離脱可能部分の内面側には、離脱可能部分と対向して表示板が配置され、この表示板の外周部は、周囲部分に接合されており、フックに、薄肉部分の破壊応力を超える引張力が加わることにより、離脱可能部分がフックとともに周囲部分から離脱し、表示板が露出するように構成したものである。
【発明の効果】
【０００８】
本発明によれば、製品の外郭部材に盗難防止装置が予め装備されているため、顧客は盗難防止装置を別途購入する必要がなく、経済的な負担が軽減される。また、フックに薄肉部分の破壊応力を超える引張力が加わることにより、離脱可能部分が周囲部分から離脱して表示板が露出するため、通常の方法で購入された製品の外観とは異なり、盗難品であることが明らかである。従って、盗難された後の再販が困難であり、盗難防止効果および再販防止効果が得られる。
【発明を実施するための最良の形態】
【０００９】
実施の形態１．
以下に、本発明の実施の形態１である投射型プロジェクタの盗難防止装置について図面に基づいて説明する。図１(ａ)は、本発明の実施の形態１における盗難防止装置を示す上面図、図１（ｂ）は、図１（ａ）中にｂ−ｂ線で示す部分の断面図、図１（ｃ）は、図１（ａ）中にｃ−ｃ線で示す部分の断面図である。また、図２（ａ）は、本実施の形態１における盗難防止装置の鍵マーク部を示す上面図、図２（ｂ）は、図２（ａ）中にｂ−ｂ線で示す部分の断面図、図２（ｃ）は、図２（ａ）中にｃ−ｃ線で示す部分の断面図である。なお、図中、同一、相当部分には同一符号を付し説明を省略する。
【００１０】
実施の形態１は、電気製品、例えば投射型プロジェクタの盗難防止装置である。この実施の形態１の電気製品は、製品の外観を構成する外郭部材１を備え、この外郭部材１は、離脱可能部分２と、この離脱可能部分２を取り囲む周囲部分１０を含んでいる。外郭部材１は、板部材であり、例えばプラスチックで構成される。外郭部材１は、外面１ａと内面１ｂを有し、所定の肉厚Ｔを持って形成される。
【００１１】
離脱可能部分２は、外郭部材１の一部に形成される。この離脱可能部分２は、所定形状、例えば鍵マーク形状を持った鍵マーク部２Ａとして形成される。勿論、離脱可能部分２の形状は、必ずしも鍵マーク部２Ａとする必要はなく、他の形状にすることも可能である。鍵マーク部２Ａは、矩形形状の鍵本体形状部２ｅと、この鍵本体形状部２ｅの一側の鍵アーム形状部２ａを有する。
【００１２】
鍵本体形状部２ｅは、その全周の４箇所に形成された薄肉部分２ｃにより、周囲部分１０に結合されている。この薄肉部分２ｃは、図１（ｂ）に示すように、外郭部材１の肉厚Ｔのほぼ１／３以下の薄い肉厚を有し、その断面破壊応力を超える引張力を受けると破壊するように構成される。薄肉部分２ｃを除く鍵本体形状部２ｅの全周には、外郭部材１を貫通する分離溝２ｂが形成される。この分離溝２ｂは、薄肉部分２ｃを除く、鍵本体形状部２ｅの全周に形成され、鍵本体形状部２ｅと周囲部分１０の間に延在している。
【００１３】
鍵アーム形状部２ａは、例えば外郭部材１の肉厚Ｔに比べて充分に浅い輪郭溝で描かれており、この鍵アーム形状部２ａは、薄肉部分２ｃが破断しても、破断することがない。この鍵アーム形状部２ａは、外郭部材１の外面１ａに所定の色で印刷して、表示することもできる。
【００１４】
また、鍵マーク部２Ａの外面１ａ側には、フック３が配置されている。フック３は、外郭部材１の一部である鍵マーク部２Ａとは別の部品で構成され、鍵マーク部２Ａに対して移動可能に設けられている。鍵マーク部２Ａの鍵本体形状部２ｅには、フック３を取り付けるためのフック用穴部２ｄが２箇所に設けられている。フック３は、フック脚部３ａを鍵マーク部２Ａの外面１ａ側からフック用穴部２ｄに挿入された後、バネ４を装着され、外郭部材１の内面１ｂ側から固着手段であるナット５とフックネジ部３ｂによって、脱落しないように保持されている。
【００１５】
また、フック脚部３ａに装着されたバネ４は、フック３を鍵マーク部２Ａすなわち外郭部材１の内部に収納するために設けられたものであり、ナット５により脱落しないように取り付けられている。このバネ４により、フック３は通常、図１（ｂ）に示すように、その大部分が鍵マーク部２Ａの内部に収納された状態となる。なお、フック３は、鍵マーク部２Ａから引き出すことができ、引き出した状態においては、製品すなわち投射型プロジェクタを結束するためのロープ部材（図示せず）を通過させるフック開口部３ｃを有している。
【００１６】
さらに、鍵マーク部２Ａの内面１ｂ側には、鍵マーク部２Ａと対向して表示板６が配置され、この表示板６の外周部は、周囲部分１０に接合されている。図３は、本実施の形態１における盗難防止装置の表示板を示す上面図である。図３に示すように、表示板６の外周には粘着部材６ａが取り付けられており、この粘着部材６ａにより周囲部分１０の内面１ｂ側に接着される。
【００１７】
また、表示板６の中央部には、ナット用穴部６ｂが２箇所に形成されている。鍵マーク部２Ａがフック３とともに周囲部分１０から離脱する際には、フック３のフック脚部３ａ、バネ４、ナット５およびフックネジ部３ｂが表示板６のナット用穴部６ｂを通り抜けて離脱することにより、表示板６は周囲部材１０に接合されたまま外郭部材１（製品本体）に残り、鍵マーク部２Ａおよびフック３は、バネ４、ナット５およびフックネジ部３ｂと共に周囲部分１０から離脱する。
【００１８】
また、表示板６は、鍵マーク部２Ａが外郭部材１の周囲部分１０から離脱した後に視認される注意文６ｃを有している。本実施の形態１では、「パスワードを確認下さい」という注意文６ｃを例に示したが、表示板６には任意の注意文（警告文）を記載することができる。例えば「本品は盗難品です」等の警告文を用いてもよい。
【００１９】
以下に、本実施の形態１における盗難防止装置の動作について図４および図５を用いて説明する。図４は、本実施の形態１における盗難防止装置の動作を説明する図であり、図４（ａ）は上面図、図４（ｂ）は、図４（ａ）中にｂ−ｂ線で示す部分の断面図、図４（ｃ）は、図４（ａ）中にｃ−ｃ線で示す部分の断面図である。また、図５は、鍵マーク部が周囲部分から離脱した後の外郭部材を示す上面図である。
【００２０】
本実施の形態１における盗難防止装置を使用する際には、まず、図４に示すように、フック３を鍵マーク部２Ａから引き出し、フック開口部３ｃに製品である投射型プロジェクタを結束するためのロープ部材７を通し、ロープ部材７を移動不可能な物体に取り付ける。ロープ部材７としては、容易に切断、破損できないもの、例えば金属ワイヤが用いられる。このロープ部材７の他端は、通常、電気製品の量販店で見られるように、製品の陳列棚等に結び付けられる。
【００２１】
このように、結束固定された投射型プロジェクタにおいては、何者かが盗難の目的で製品すなわち外郭部材１を移動させ、ロープ部材７およびフック３に鍵マーク部２Ａの薄肉部分２ｃの断面破壊応力を超える引張力が加わると、鍵マーク部２Ａの薄肉部分２ｃが破損し、鍵本体形状部２ｅがフック３とともに外郭部材１の周囲部分１０から離脱する。なおこの時、バネ４、ナット５およびフックネジ部３ｂも周囲部分１０から離脱する。
【００２２】
鍵マーク部２Ａの鍵本体形状部２ｅが離脱した後は、図５に示すように、周囲部分１０に形成される矩形の穴である鍵マーク開口部２２から表示板６が露出し、「パスワードを確認下さい」という注意文６ｃが視認される。このため、本実施の形態１における盗難防止装置を備えた投射型プロジェクタが盗難された場合、通常の方法で購入された製品の外観とは異なり、盗難品であることが明らかである。
【００２３】
鍵マーク部２Ａと周囲部分１０を結合している薄肉部分２ｃの断面破壊応力は、薄肉部分２ｃの厚み、面積、設置位置および設置数を変えることにより任意に設定される。本実施の形態１では、鍵本体形状部２ｅの全周の４箇所に薄肉部分２ｃを設けているが、薄肉部分２ｃの設置数は４箇所に限定されるものではなく、１箇所または複数箇所に設ければよい。薄肉部分２ｃの断面破壊応力は、薄肉部分２ｃの厚みが厚く、また面積が大きく、設置数が多いほど大きくなる。盗難防止効果を上げるためには小さい引張力で鍵マーク部２Ａが離脱する方がよいが、あまり容易に離脱するように設定すると、店舗側または顧客側が取り扱い時に注意を要することになるため、それらを考慮して薄肉部分２ｃの断面破壊応力を適宜決定することが望ましい。
【００２４】
なお、本実施の形態１では、フック３を投射型プロジェクタの鍵マーク部２Ａの内部に収納するためにバネ４を用いたが、フック３が鍵マーク部２Ａすなわち外郭部材１の外面１ａ側に突出していても構わない場合は、バネ４を用いなくてもよい。また、本実施の形態１では、表示板６を周囲部分１０の内面１ａに接合するために粘着部材６ａを用いたが、粘着部材６ａの代わりにネジ等の他の部材を用いて取り付けてもよい。
【００２５】
以上のように、本実施の形態１によれば、投射型プロジェクタに盗難防止装置が予め装備されているため、顧客は盗難防止装置を別途購入する必要がなく、経済的な負担が軽減される。また、フック３に、薄肉部分２ｃの断面破壊応力を超える引張力が加わると、鍵マーク部２Ａが周囲部分１０から離脱して表示板６が露出し、注意文６ｃが視認されるため、盗難品であることを広く周知させることができ、再販防止効果が大きい。再販防止効果が大きいということは、すなわち盗難防止効果が大きいものである。これらのことから、本実施の形態１によれば、盗難防止効果が大きく、盗難された後の再販を防止することができる、安価な盗難防止装置を提供することが可能である。
【００２６】
また、鍵マーク部２Ａの鍵本体形状部２ｅは、その全周の複数箇所において、薄肉部分２ｃを介して周囲部分１０に結合されているので、薄肉部分２ｃの厚み、面積、設置位置および設置数を変えることにより、薄肉部分２ｃの断面破壊応力を任意に設定することができる。これにより、顧客の目的および用途に応じた断面破壊応力に設定することができ、所望の盗難防止効果を得ることが可能である。
【００２７】
さらに、フック３が鍵マーク部２Ａと別の部品で構成され、鍵マーク部２Ａに対して移動可能に設けられているため、フック３の大部分を鍵マーク部２Ａ（外郭部材１）内部に収納することができ、製品としての外観を損ねることなく、取り扱いが困難になることもない。
【００２８】
実施の形態２．
上記実施の形態１では、盗難防止装置のフック３を鍵マーク部２Ａと別の部品で構成し、鍵マーク部２Ａに対して移動可能に設けたが、フック３を外郭部材１内部に収納する必要がない場合は、フック３と鍵マーク部２Ａを一体形成し、簡単な構造にすることができる。
【００２９】
図６は、本発明の実施の形態２における盗難防止装置を示す断面図である。本実施の形態２では、フック３３を鍵マーク部２Ａと一体形成し、投射型プロジェクタの外郭部材１内部に収納しないようにした。このため、上記実施の形態１と比べて、バネ４、ナット５およびフックネジ部３ｂ等の部品が不要となり、また、外郭部材１にフック用穴部２を設ける必要もなく、表示板６にナット用穴部６ｂを設ける必要もない。なお、その他の構成および動作については実施の形態１と同様であるため説明を省略する。
【００３０】
本実施の形態２によれば、フック３が鍵マーク部２Ａと一体形成されているため、少ない部品点数で、さらに安価な盗難防止装置が得られ、上記実施の形態１と同様の盗難防止効果および再販防止効果が得られる。
【図面の簡単な説明】
【００３１】
【図１】本発明の実施の形態１における盗難防止装置を示す上面図および断面図である。
【図２】本発明の実施の形態１における盗難防止装置の鍵マーク部を示す上面図および断面図である。
【図３】本発明の実施の形態１における盗難防止装置の表示板を示す上面図である。
【図４】本発明の実施の形態１における盗難防止装置の動作を説明する上面図および断面図である。
【図５】本発明の実施の形態１における盗難防止装置の鍵マーク部が周囲部分から離脱した後の外郭部材を示す上面図である。
【図６】本発明の実施の形態２における盗難防止装置を示す断面図である。
【符号の説明】
【００３２】
１  外郭部材、１ａ  外面、１ｂ  内面、２  離脱可能部分、２Ａ  鍵マーク部、
２ａ  鍵アーム形状部、２ｂ  分離溝、２ｃ  薄肉部分、２ｄ  フック用穴部、
２ｅ  鍵本体形状部、３、３３  フック、３ａ  フック脚部、３ｂ  フックネジ部、
３ｃ  フック開口部、４  バネ、５  ナット、６  表示板、６ａ  粘着部材、
６ｂ  ナット用穴部、６ｃ  注意文、７  ロープ部材、１０  周囲部分、
２２  鍵マーク開口部。
【図１】
0004703395.tif 000002
【図２】
0004703395.tif 000003
【図３】
0004703395.tif 000004
【図４】
0004703395.tif 000005
【図５】
0004703395.tif 000006
【図６】
0004703395.tif 000007